(57)【要約】【課題】ディスクに最適な記録パワーを正確に決定することができるようにする。【解決手段】本発明に係る光ディスク装置１においては、ＰＬＬ回路２９は、ＯＰＣ処理によって第１の記録パワー範囲における各記録パワーで記録された各記録領域を再生する際に、再生信号に基づく再生クロック信号を生成し、ＣＰＵ３５は、第１の記録パワー範囲における各記録領域を再生する際に、ＰＬＬ回路２９のロック状態を検出し、検出されたＰＬＬ回路２９のロック状態に基づいて、ＰＬＬ回路２９のロック頻度を算出し、算出されたロック頻度に基づいて第２の記録パワー範囲を決定し、ジッタ測定回路３３は、決定された第２の記録パワー範囲における各記録パワーで記録された各記録領域を再生する際に、再生信号のジッタを測定し、ＣＰＵ３５は、測定された各記録領域ごとのジッタに基づいて、ディスクにデータを記録する際に用いる記録パワーを決定する。【選択図】  図１
2008084506.tif 000002
【特許請求の範囲】
【請求項１】
ＯＰＣ処理によって第１の記録パワー範囲における各記録パワーで記録された各記録領域を再生する際に、再生信号に基づく再生クロック信号を生成するＰＬＬ回路と、
前記第１の記録パワー範囲における各記録領域を再生する際に、前記ＰＬＬ回路のロック状態を検出する検出手段と、
前記検出手段により検出された前記ＰＬＬ回路のロック状態に基づいて、前記ＰＬＬ回路のロック頻度を算出する算出手段と、
前記算出手段により算出された前記ロック頻度に基づいて、第２の記録パワー範囲を決定する記録パワー範囲決定手段と、
前記記録パワー範囲決定手段により決定された前記第２の記録パワー範囲における各記録パワーで記録された各記録領域を再生する際に、再生信号のジッタを測定するジッタ測定手段と、
前記ジッタ測定手段により測定された前記第２の記録パワー範囲における記録領域ごとのジッタに基づいて、ディスクにデータを記録する際に用いる記録パワーを決定する記録パワー決定手段とを備えることを特徴とする光ディスク装置。
【請求項２】
前記記録パワー範囲決定手段は、前記算出手段により算出された前記ロック頻度が所定の基準値以上であるか否かに基づいて、前記第２の記録パワー範囲を決定することを特徴とする請求項１に記載の光ディスク装置。
【請求項３】
前記記録パワー決定手段は、前記ジッタ測定手段により測定された前記ジッタが最小値を示す記録パワーを、ディスクにデータを記録する際に用いる記録パワーとして決定することを特徴とする請求項１に記載の光ディスク装置。
【請求項４】
ＯＰＣ処理によって第１の記録パワー範囲における各記録パワーで記録された各記録領域を再生する際に、再生信号に基づく再生クロック信号を生成するＰＬＬ回路を備える光ディスク装置の光ディスク記録方法において、
前記第１の記録パワー範囲における各記録領域を再生する際に、前記ＰＬＬ回路のロック状態を検出する検出ステップと、
前記検出ステップの処理により検出された前記ＰＬＬ回路のロック状態に基づいて、前記ＰＬＬ回路のロック頻度を算出する算出ステップと、
前記算出ステップの処理により算出された前記ロック頻度に基づいて、第２の記録パワー範囲を決定する記録パワー範囲決定ステップと、
前記記録パワー範囲決定ステップの処理により決定された前記第２の記録パワー範囲における各記録パワーで記録された各記録領域を再生する際に、再生信号のジッタを測定するジッタ測定ステップと、
前記ジッタ測定ステップの処理により測定された前記第２の記録パワー範囲における記録領域ごとのジッタに基づいて、ディスクにデータを記録する際に用いる記録パワーを決定する記録パワー決定ステップとを含むことを特徴とする光ディスク装置の光ディスク記録方法。
【発明の詳細な説明】
【技術分野】
【０００１】
本発明は光ディスク装置および光ディスク記録方法に係り、特に、ディスクに最適な記録パワーを決定することができるようにした光ディスク装置および光ディスク記録方法に関する。
【背景技術】
【０００２】
近年、ＣＤ（Compact Disc）−Ｒ／ＲＷやＤＶＤ（Digital Versatile Disc）−Ｒ／ＲＷなどの記録可能な光ディスクにデータを記録する際、光ディスクの所定の領域（ＰＣＡ（Power Calibration Area））に記録パワーを変化させてテストデータを試し書きし、試し書きされたテストデータを再生することでそれぞれのディスクに最適な記録パワーを決定する技術（ＯＰＣ（Optimum Power Control））が提案されている。
【０００３】
最適な記録パワーを決定する技術には、例えば、再生信号の非対称性（アシンメトリ）を用いて最適な記録パワーを設定する技術と、ジッタを用いて最適な記録パワーを決定する技術が知られている。
【０００４】
この再生信号の非対称性（アシンメトリ）を用いて最適な記録パワーを決定する技術では、光ディスク装置の図示せぬフラッシュメモリにディスク製造元コードごとの最適シンメトリ情報を記憶させておき、光ディスク装置１にディスクが挿入され、記録の開始に先立って行われるＯＰＣ処理の際に、フラッシュメモリからディスク製造元コードごとの最適シンメトリ情報を読み出し、読み出された最適シンメトリ情報に基づき、再生信号の非対称性（アシンメトリ）を用いてディスクに最適な記録パワーを決定する。
【０００５】
再生信号の非対称性（アシンメトリ）を用いて最適な記録パワーを決定する技術として、例えば、最適な記録パワーを良好に決定することができる技術が提案されている（例えば、特許文献１参照）。
【０００６】
特許文献１提案されている技術によれば、最適な記録パワーの決定の際に再生信号の変調度を用いるようにしたので、最適な記録パワーを良好に決定することができる。
【０００７】
また、ジッタを用いて最適な記録パワーを決定する技術として、例えば、最適な記録パワーの誤選択を防止することができる技術が提案されている（例えば、特許文献２参照）。
【０００８】
特許文献２に提案されている技術によれば、ＰＣＡに記録されたテストデータからジッタを演算するとともに、再生テストデータのスペース部分をカウントし、テストデータが誤記録されたか否かを判定し、テストデータが誤記録されたと判定された場合、ジッタを上限値に置き換えるようにしたので、たとえジッタ値が小さい値であってもジッタ値の異常を出力して最適な記録パワーの誤選択を防止することができる。
【特許文献１】特開２００５−１４９５３８号公報
【特許文献２】特開２００３−９１８２３号公報
【発明の開示】
【発明が解決しようとする課題】
【０００９】
しかしながら、再生信号のアシンメトリを用いて最適な記録パワーを決定する技術では、たとえ再生信号のアシンメトリに基づいて決定された最適な記録パワーであったとしても、装置ごとの光パルスの形状の僅かな差異やディスクの記録感度の差異などのために、ユーザデータ記録後の再生時に得られる再生信号のジッタが必ずしもディスクに最適であるとは限らないという課題があった。
【００１０】
一方、ジッタを用いて最適な記録パワーを決定する技術では、記録パワー不足や記録パワー過剰の領域も含めた広範囲の領域の中から最適な記録パワーを決定するようにしているので、ジッタが正常の値として得られない領域において得られたジッタの値を補正しなければならないという課題があった。
【００１１】
このように、再生信号の非対称性（アシンメトリ）を用いて最適な記録パワーを決定する技術や、ジッタを用いて最適な記録パワーを決定する技術などのいずれの技術を用いても、ディスクに最適な記録パワーを決定することは困難であるという課題があった。
【００１２】
本発明は、このような状況に鑑みてなされてものであり、ディスクに最適な記録パワーを正確に決定することができる光ディスク装置および光ディスク記録方法を提供することを目的とする。
【課題を解決するための手段】
【００１３】
本発明の光ディスク装置は、上述した課題を解決するために、ＯＰＣ処理によって第１の記録パワー範囲における各記録パワーで記録された各記録領域を再生する際に、再生信号に基づく再生クロック信号を生成するＰＬＬ回路と、第１の記録パワー範囲における各記録領域を再生する際に、ＰＬＬ回路のロック状態を検出する検出手段と、検出手段により検出されたＰＬＬ回路のロック状態に基づいて、ＰＬＬ回路のロック頻度を算出する算出手段と、算出手段により算出されたロック頻度に基づいて、第２の記録パワー範囲を決定する記録パワー範囲決定手段と、記録パワー範囲決定手段により決定された第２の記録パワー範囲における各記録パワーで記録された各記録領域を再生する際に、再生信号のジッタを測定するジッタ測定手段と、ジッタ測定手段により測定された第２の記録パワー範囲における記録領域ごとのジッタに基づいて、ディスクにデータを記録する際に用いる記録パワーを決定する記録パワー決定手段とを備えることを特徴とする。
【００１４】
本発明の光ディスク装置の光ディスク記録方法は、上述した課題を解決するために、ＯＰＣ処理によって第１の記録パワー範囲における各記録パワーで記録された各記録領域を再生する際に、再生信号に基づく再生クロック信号を生成するＰＬＬ回路を備える光ディスク装置の光ディスク記録方法において、第１の記録パワー範囲における各記録領域を再生する際にＰＬＬ回路のロック状態を検出する検出ステップと、検出ステップの処理により検出されたＰＬＬ回路のロック状態に基づいて、ＰＬＬ回路のロック頻度を算出する算出ステップと、算出ステップの処理により算出されたロック頻度に基づいて、第２の記録パワー範囲を決定する記録パワー範囲決定ステップと、記録パワー範囲決定ステップの処理により決定された第２の記録パワー範囲における各記録パワーで記録された各記録領域を再生する際に、再生信号のジッタを測定するジッタ測定ステップと、ジッタ測定ステップの処理により測定された第２の記録パワー範囲における記録領域ごとのジッタに基づいて、ディスクにデータを記録する際に用いる記録パワーを決定する記録パワー決定ステップとを含むことを特徴とする。
【００１５】
本発明の光ディスク装置においては、ＯＰＣ処理によって第１の記録パワー範囲における各記録パワーで記録された各記録領域を再生する際に、再生信号に基づく再生クロック信号が生成され、第１の記録パワー範囲における各記録領域を再生する際にＰＬＬ回路のロック状態が検出され、検出されたＰＬＬ回路のロック状態に基づいてＰＬＬ回路のロック頻度が算出され、算出されたロック頻度に基づいて第２の記録パワー範囲が決定され、決定された第２の記録パワー範囲における各記録パワーで記録された各記録領域を再生する際に再生信号のジッタが測定され、測定された第２の記録パワー範囲における記録領域ごとのジッタに基づいて、ディスクにデータを記録する際に用いる記録パワーが決定される。
【００１６】
本発明の光ディスク装置の光ディスク記録方法においては、第１の記録パワー範囲における各記録領域を再生する際に、ＰＬＬ回路のロック状態が検出され、検出されたＰＬＬ回路のロック状態に基づいてＰＬＬ回路のロック頻度が算出され、算出されたロック頻度に基づいて第２の記録パワー範囲が決定され、決定された第２の記録パワー範囲における各記録パワーで記録された各記録領域を再生する際に再生信号のジッタが測定され、測定された第２の記録パワー範囲における記録領域ごとのジッタに基づいて、ディスクにデータを記録する際に用いる記録パワーが決定される。
【発明の効果】
【００１７】
本発明によれば、ディスクに最適な記録パワーを正確に決定することができる。
【発明を実施するための最良の形態】
【００１８】
以下、本発明の実施の形態について、図面を参照しながら説明する。
【００１９】
図１は、本発明に係る光ディスク装置１の構成を表している。
【００２０】
光ディスク装置１は、ＤＶＤ（Digital Versatile Disc）など情報記録媒体としての光ディスク４０に対して情報の記録及び再生を行う。光ディスク４０は、同心円状または螺旋状に溝が刻まれており、溝の凹部をランド、凸部をグルーブと呼び、グループまたはランドの一周をトラックと呼ぶ。ユーザデータは、このトラック（グルーブのみ、またはグルーブおよびランド）に沿って、強度変調されたレーザ光が照射されて記録マークが形成されることにより光ディスク４０上に記録される。データ再生は、記録時より弱いリードパワー(Read Power)のレーザ光をトラックに沿って照射して、トラック上にある記録マークによる反射光強度の変化を検出することにより行われる。記録されたデータの消去は、リードパワーより強いイレースパワー(Erase Power)のレーザ光をトラックに沿って照射し、記録層を結晶化することにより行われる。
【００２１】
光ディスク４０はスピンドルモータ２によって回転駆動される。スピンドルモータ２に付設されたロータリエンコーダ２ａからスピンドルモータ駆動回路３に回転角信号が出力される。スピンドルモータ２が１回転すると、回転角信号は例えば５パルス発生する。これにより、スピンドルモータ制御回路４は、スピンドルモータ駆動回路３を介してロータリエンコーダ２ａから入力された回転角信号に基づいて、スピンドルモータ２の回転角度および回転数を判定することができる。このスピンドルモータ２はスピンドルモータ制御回路４により制御される。
【００２２】
光ディスク４０に対する情報の記録または再生は、光ピックアップ５によって行われる。光ピックアップ５は、ギア１８およびスクリューシャフト１９を介して送りモータ２０と連結されており、この送りモータ２０は送りモータ駆動回路２１により制御される。送りモータ２０が送りモータ駆動回路２１から供給された送りモータ駆動電流によって回転することで、光ピックアップ５が光ディスク４０の半径方向に移動する。
【００２３】
光ピックアップ５には、図示しないワイヤあるいは板バネによって支持された対物レンズ６が設けられる。対物レンズ６はフォーカスアクチュエータ８の駆動によりフォーカシング方向（レンズの光軸方向）への移動が可能であり、また、トラッキングアクチュエータ７の駆動によりトラッキング方向（レンズの光軸と直交する方向）への移動が可能である。
【００２４】
レーザ駆動回路１７は、情報記録時（マーク形成時）に、ホスト装置４１からインタフェース回路３９を介して供給される記録データに基づいて、書き込み用信号をレーザダイオード（レーザ発光素子）９に供給する。また、レーザ駆動回路１７は、情報読取り時に、書き込み信号より小さい読取り用信号をレーザダイオード９に供給する。
【００２５】
フロントモニタ・フォトダイオード１０は、レーザダイオード９が発生するレーザ光の一部をハーフミラー１１により一定比率だけ分岐し、光量すなわち照射パワーに比例した受光信号を検出し、検出された受光信号をレーザ駆動回路１７に供給する。レーザ駆動回路１７はフロントモニタ・フォトダイオード１０から供給された受光信号を取得し、取得された受光信号に基づいて、ＣＰＵ３５により予め設定された再生時のレーザパワー（照射パワー）、記録時のレーザパワー、および消去時のレーザパワーで発光するようにレーザダイオード９を制御する。
【００２６】
レーザダイオード９は、レーザ駆動回路１７から供給される信号に応じてレーザ光を発光する。レーザダイオード９から発光されるレーザ光は、コリメータレンズ１２、ハーフプリズム１３、および対物レンズ６を介して光ディスク３９上に照射される。光ディスク４０からの反射光は、対物レンズ６、ハーフプリズム１３、集光レンズ１４、およびシリンドリカルレンズ１５を介して、光検知器１６に導かれる。
【００２７】
光検知器１６は、例えば４分割の光検知セルからなり、検知信号を生成し、生成された検知信号をＲＦアンプ２３に出力する。ＲＦアンプ２３は、光検知器１６からの検知信号を処理し、ジャストフォーカスからの誤差を示すフォーカス誤差信号（ＦＥ）、レーザ光のビームスポット中心とトラック中心との誤差を示すトラッキング誤差信号（ＴＥ）、および検知信号の全加算信号である再生信号（ＲＦ）を生成し、生成されたフォーカス誤差信号（ＦＥ）、トラッキング誤差信号（ＴＥ）、および再生信号（ＲＦ）をＡ／Ｄ変換器３０に供給する。
【００２８】
フォーカス制御回路２５は、ＲＦアンプ２３からＡ／Ｄ変換器３０を介してＤＳＰ３８で取り込まれたフォーカス誤差信号（ＦＥ）に応じてフォーカス制御信号を生成し、生成されたフォーカス制御信号をフォーカスアクチュエータ駆動回路２４に供給する。フォーカスアクチュエータ駆動回路２４は、フォーカス制御回路２５から供給されたフォーカス制御信号に基づいて、フォーカスアクチュエータ８を駆動するためのフォーカスアクチュエータ駆動電流をフォーカシング方向のフォーカスアクチュエータ８に供給する。これにより、レーザ光が光ディスク４０の記録膜上に常時ジャストフォーカスとなるフォーカスサーボが行われる。
【００２９】
トラック制御回路２７は、ＲＦアンプ２３からＡ／Ｄ変換器３０を介してＤＳＰ３８で取り込まれたトラッキング誤差信号（ＴＥ）に応じてトラック制御信号を生成し、生成されたトラック制御信号をトラッキングアクチュエータ駆動回路２６に供給する。トラッキングアクチュエータ駆動回路２６は、トラッキング制御回路２７から供給されたトラッキング制御信号に基づいて、トラッキングアクチュエータ７を駆動するためのトラッキングアクチュエータ駆動電流をトラッキング方向のトラッキングアクチュエータ７に供給する。これにより、レーザ光が光ディスク４０上に形成されたトラック上を常にトレースするトラッキングサーボが行われる。
【００３０】
このようなフォーカスサーボおよびトラッキングサーボがなされることで、光検知器１６（各光検知セル）からの検知信号の全加算信号である再生信号（ＲＦ）には、記録情報に対応して光ディスク４０のトラック上に形成されたピットなどからの反射光の変化が反映される。この再生信号は、Ａ／Ｄ変換器３０を介してデータ再生回路３１に供給される。データ再生回路３１は、Ａ／Ｄ変換器３０から供給される再生信号に応じて１もしくは０の２値化信号を生成し、生成された２値化信号をエラー訂正回路３２に出力する。また、データ再生回路３１は、２値化信号をエラー訂正回路３２に出力すると同時に、ＰＬＬ（Phase Locked Loop）回路２９から供給される再生クロック信号と、この２値化信号との位相差をＰＬＬ位相比較信号として生成し、生成されたＰＬＬ位相比較信号をＰＬＬ回路２９に出力する。
【００３１】
ジッタ測定回路３３は、Ａ／Ｄ変換器３０から供給される再生信号とＰＬＬ回路２９で生成される再生クロック信号から再生信号のジッタを測定する。この測定されたジッタ測定信号は、バス３４を介してＣＰＵ３５により読み出し可能となっている。
【００３２】
ＤＳＰ（Digital Signal Processor）３８は、ＲＦアンプ２３から出力された後にＡ／Ｄ変換器３０を介してディジタル信号に変換されたフォーカス誤差信号（ＦＥ）およびトラッキング誤差信号（ＴＥ）などのディジタル信号に種々の演算処理を施し、スピンドルモータ制御回路４、送りモータ制御回路２２、フォーカス制御回路２５、およびトラッキング制御回路２７の制御を行う。
【００３３】
スピンドルモータ制御回路４、送りモータ制御回路２２、フォーカス制御回路２５、およびトラッキング制御回路２７は、バス３４を介してＤＳＰ３８によって制御される。
【００３４】
また、レーザ駆動回路１７、ＰＬＬ回路２９、Ａ／Ｄ変換器３０、エラー訂正回路３２、ジッタ測定回路３３、およびＤＳＰ３８などは、バス３４を介してＣＰＵ（Central Processing Unit）３５によって制御される。ＣＰＵ３５は、インタフェース回路３９を介してホスト装置４１から供給される動作コマンドに従うとともに、ＲＯＭ（Read Only Memory）３６に記憶されているプログラムおよびＲＯＭ３６からＲＡＭ（Random Access Memory）３７にロードされたプログラムに従って各種の処理を実行し、種々の制御信号を生成し、各部に供給することにより光ディスク装置１を統括的に制御する。
【００３５】
なお、従来においてアシンメトリ情報を用いたＯＰＣ処理を実行する場合には、本発明の実施形態とは異なり、ＲＯＭ３６には、ＣＰＵ３５が各部を統括的に制御するためのプログラムのほか、ＯＰＣ動作に必要なディスク製造元コードごとに最適アシンメトリ情報も記憶されることになる。
【００３６】
ここで、従来のＯＰＣ処理では再生信号のアシンメトリ（アイパターンのアシンメトリ）を用いて光ディスク４０に最適な記録パワーを決定する場合、粗調整と微調整の２段階で行われていた。まず、粗調整の段階では、例えば図２［Ａ］に示されるように、再生信号のアシンメトリ（非対称性）がゼロクロス近傍でありＲＯＭ３６にディスク製造元コードごとに記憶してある最適アシンメトリ情報を見逃すことがないようにするために、広範囲の記録パワー範囲Ｐ１を所定の段階で変化させて記録動作を行う。
【００３７】
この場合、粗調整では１段階あたりに変化させる記録パワーの変化量が粗くなり、最適と判定される記録パワーの誤差も大きくなるため、粗調整で得られたアシンメトリ情報近傍の記録パワーから所定の記録パワー範囲Ｐ２を決定し、決定された記録パワー範囲Ｐ２において微調整を行う。例えば図２［Ｂ］に示されるように、記録パワー範囲Ｐ２において微調整を行い、再生信号のアシンメトリ（非対称性）がディスク製造元コードごとにＲＯＭ３６に記憶している最適アシンメトリ情報に最も近似するアシンメトリが得られる記録パワーを算出し、光ディスク４０に最適な記録パワーを決定する。
【００３８】
ＲＯＭ３６にディスク製造元コードごとに記憶してある最適アシンメトリ情報は、最適な再生信号のジッタが得られると推定されるアシンメトリ情報として記憶されている。
【００３９】
ところが、たとえ再生信号のアシンメトリに基づいて決定された最適な記録パワーであっても、光ディスク装置１ごとの光パルスの形状の僅かな差異やディスクの記録感度の差異などのために、再生信号のジッタが必ずしも光ディスク装置１に挿入された光ディスク４０にとって最適であるとは限らないという課題があった。
【００４０】
一方、従来においてジッタを用いて最適な記録パワーを決定する場合、図３［Ａ］および［Ｂ］に示されるように、記録パワー不足や記録パワー過剰の領域も含めた広範囲の領域の中から最適な記録パワーを決定するようにしているが、再生信号のアシンメトリが著しくゼロから離れると、ＰＬＬ回路２９において再生信号から再生クロック信号が正しく生成できず、すなわち、ＰＬＬ回路２９が正しくロックすることができず、その結果、光ディスク４０に最適な記録パワーではないにもかかわらず、測定されるジッタが最適な記録パワーで得られるジッタよりも低く測定されてしまう場合があり、誤った記録パワーを最適な記録パワーとして決定されてしまうという課題があった。
【００４１】
このように、再生信号の非対称性（アシンメトリ）を用いて最適な記録パワーを決定する技術や、ジッタを用いて最適な記録パワーを決定する技術などのいずれの技術を用いても、光ディスク４０に最適な記録パワーを決定することは困難であった。
【００４２】
そこで、まず、ＯＰＣ処理における粗調整の段階において、広範囲な第１の記録パワー範囲で記録パワーを所定の段階で変化させてＯＰＣ記録処理を行った後、ＯＰＣ記録部分を再生する。この記録部分の再生時に各所定の段階の記録パワーで記録された記録領域において、ＰＬＬ回路２９のロックの状態を予め設定された所定の回数ＣＰＵ３５によりバス３４を介して読み出させ、ロックしていれば＋１、ロックしていなければ＋０としてカウント（計数）する。そして、各所定の段階で変化させて各記録パワーで記録された記録領域ごとにおけるＰＬＬ回路２９のロック回数に基づいて微調整で記録動作を行う第２の記録パワー範囲を決定する。
【００４３】
次に、微調整の段階で、粗調整の段階で決定された第２の記録パワー範囲において所定の段階で記録パワーを変化させて粗調整の段階と基本的に同様に記録再生動作を行う。微調整の段階では、ＰＬＬ回路２のロック状態の代わりに、ジッタ測定回路３３を用いて、所定の段階で変化されて記録された各記録パワーで記録された記録領域ごとにジッタを測定し、測定されたジッタが最小となる記録パワーをＣＰＵ３５で計算することで、光ディスク４０に最適な記録パワーを決定する。
【００４４】
このように、粗調整の段階でＰＬＬ回路２９が正しくロック可能な記録パワーの範囲である第２の記録パワー範囲を絞りこむことにより、微調整の段階でＰＬＬ回路２９において再生クロック信号が再生信号から正しく生成でき、その結果、再生信号のジッタを正確に測定することができ、光ディスク４０に最適な記録パワーを正確に決定することが可能となる。以下、この方法を用いたＯＰＣ処理について説明する。
【００４５】
図４のフローチャートを参照して、図１の光ディスク装置１におけるＯＰＣ処理について説明する。このＯＰＣ処理は、光ディスク装置１においてユーザにより光ディスク４０にユーザデータを記録する際に、予め開始される。
【００４６】
ステップＳ１において、ＣＰＵ３５は、記録パワー番号Ｎの初期設定を行う。すなわち、例えば図５［Ａ］に示されるように、第１の記録パワー範囲において記録パワーを所定の段階（ｋ段階）で変化させる場合に、変化させるｋ段階の記録パワーのうち、例えば最も高い記録パワーをもつ番号である記録パワー番号Ｎ＝１に設定する。
【００４７】
ステップＳ２において、ＣＰＵ３５は、バス３４を介して光ピックアップ５のレーザ駆動回路１７などを制御し、所定の記録パワー番号で光ディスク４０に記録動作を行う。これにより、光ディスク４０に所定のテストデータが所定の記録パワー番号Ｎで記録される。
【００４８】
ステップＳ３において、ＣＰＵ３５は、第１の記録パワー範囲のうちの、予め設定された所定の段階（ｋ段階）のすべての記録パワー番号Ｎで記録動作が行われたか否かを判定する。ステップＳ３において第１の記録パワー範囲のうちの、予め設定された所定の段階（ｋ段階）のすべての記録パワー番号Ｎで記録動作が行われていないと判定された場合、ＣＰＵ３５はステップＳ４で、記録パワー番号Ｎを１つだけインクリメントする（記録パワー番号Ｎを変更する）。すなわち、例えば初期設定された記録パワー番号Ｎ＝１から１つだけインクリメントされると、記録パワー番号Ｎ＝２に設定される。
【００４９】
その後、処理はステップＳ２に進み、ステップＳ２以降の処理が繰り返される。これにより、ステップＳ１乃至Ｓ４の処理が繰り返し実行されることで、第１の記録パワー範囲のうち記録パワー番号Ｎがｋ段階目になるまで繰り返し同様の記録動作が実行され、記録パワー番号Ｎが１乃至ｋに対応する第１の記録パワー範囲内の各記録パワーで記録動作が実行される。
【００５０】
次に、ステップＳ５乃至Ｓ１０の処理において、ステップＳ１乃至Ｓ４の処理により第１の記録パワー範囲内の各記録パワーにより記録された各記録領域の再生動作を実行し、ステップＳ１１において第２の記録パワー範囲（ＰＬＬ回路２９が正しくロック可能な記録パワーの範囲である記録パワー範囲）を決定する。
【００５１】
ステップＳ５において、ＣＰＵ３５は、第１の記録パワー範囲において記録された記録領域の再生時における初期設定を行う。
【００５２】
ステップＳ６において、ＣＰＵ３５は、第１の記録パワー範囲において所定の段階（ｋ段階）で変化させて各記録パワー番号Ｎに対応する各記録パワーで記録された各記録領域の再生動作を所定の段階（ｋ段階）で行い、ＰＬＬ回路２９の図示せぬレジスタを読み出し、各記録パワー番号Ｎに対応する各記録パワーで記録された各記録領域でのＰＬＬ回路２９のロック状態を検出する。
【００５３】
ＰＬＬ回路２９のロック状態（すなわち、再生クロック信号が正しく生成されているか否か）を検出する手段として、ＣＰＵ３５が、所定の回数、ＰＬＬ回路２９が正しくロックしているか否かを示すＰＬＬ回路２９内の図示せぬレジスタを読出すことにより実現される。
【００５４】
例えばＰＬＬ回路２９が正しくロックしていたならばＰＬＬ回路２９の図示せぬレジスタは１を示し、ロックしていなければＰＬＬ回路２９の図示せぬレジスタは０を示すとすると、ＣＰＵ３５は所定の回数だけＰＬＬ回路２９の図示せぬレジスタを読み出し、ＰＬＬ回路２９の図示せぬレジスタの結果を所定の回数積算する動作を行う。
【００５５】
ステップＳ７において、ＣＰＵ３５は、予め設定された所定の回数、ＰＬＬ回路２９の図示せぬレジスタを読み出してＰＬＬ回路２９のロック状態を検出したか否かを判定する。ステップＳ７において予め設定された所定の回数、ＰＬＬ回路２９の図示せぬレジスタを読み出してＰＬＬ回路２９のロック状態を検出していないと判定された場合、処理はスステップＳ６に戻り、ステップＳ６以降の処理が繰り返される。これにより、予め設定された所定の回数、ＰＬＬ回路２９の図示せぬレジスタが読み出され、ＰＬＬ回路２９のロック状態が検出される。
【００５６】
ステップＳ７において予め設定された所定の回数、ＰＬＬ回路２９の図示せぬレジスタを読み出してＰＬＬ回路２９のロック状態を検出したと判定された場合、ＣＰＵ３５は、検出されたＰＬＬ回路２９のロック状態に基づいて、第１の記録パワーのうちの記録パワー番号Ｎに対応する記録パワーで記録された記録領域でのＰＬＬ回路２９のロック頻度（％）を算出し、算出結果をＲＡＭ３７に記憶させる。
【００５７】
例えば、ＣＰＵ３５がＰＬＬ回路２９の図示せぬレジスタからロック状態を読み出す所定の回数を１０回に設定した場合に、所定の回数（１０回）読出しを行った結果、ＰＬＬ回路２９のロック状態を検出した回数（積算した数）が５であるとき、ＰＬＬ回路２９のロック頻度は１０分の５、つまり５０％と算出される。
【００５８】
ステップＳ９において、ＣＰＵ３５は、第１の記録パワー範囲のうち、すべての記録パワー番号Ｎに対応する記録パワーで記録された記録領域で、ＰＬＬ回路２９のロック状態を検出したか否かを判定する。
【００５９】
ステップＳ９において第１の記録パワー範囲のうち、すべての記録パワー番号Ｎに対応する記録パワーで記録された記録領域で、ＰＬＬ回路２９のロック状態を検出ていないと判定された場合、ＣＰＵ３５はステップＳ１０で、記録パワー番号Ｎを１つだけインクリメントする。すなわち、例えば、初期設定された記録パワー番号Ｎ＝１から１つだけインクリメントされると、記録パワー番号Ｎ＝２に対応する記録パワーで記録された記録領域が再生されるように設定される。
【００６０】
その後、処理はステップＳ６に進み、ステップＳ６以降の処理が繰り返される。これにより、ステップＳ６乃至Ｓ１０の処理が繰り返し実行されることで、予め設定された所定の段階（ｋ段階）の記録パワーで記録された各記録領域の再生動作が実行される。
【００６１】
ステップＳ９において第１の記録パワー範囲のうち、すべての記録パワー番号Ｎに対応する記録パワーで記録された記録領域で、ＰＬＬ回路２９のロック状態を検出したと判定された場合、ＣＰＵ３５は、第１の記録パワー範囲における各記録パワーで記録された核記録領域を再生した際に検出されて算出された後、ＲＡＭ３７に記憶されたＰＬＬ回路２９のロック頻度を読み出し、第１の記録パワー範囲の中から、読み出されたロック頻度（％）が予め設定された所定の基準値（例えば１００％）の値を示す最大記録パワーと最小記録パワーを決定し、第２の記録パワー範囲（ＰＬＬ回路２９が正しくロック可能な記録パワーの範囲である記録パワー範囲）を決定する。
【００６２】
例えば図５［Ｂ］および［Ｃ］に示されるように、粗調整の段階で用いられる第１の記録パワー範囲（すなわち、記録パワー番号Ｎが１乃至ｋまで変化する記録パワー範囲）に対して、微調整の段階で用いられる第２の記録パワー範囲は、例えば記録パワーＱ乃至Ｐの範囲に決定される。より具体的には、ＰＬＬ回路２９のロック頻度が所定の基準値（例えば１００％）の値を示す記録パワーの最大値に対応する記録パワー番号Ｎが９で、最小値に対応する記録パワー番号Ｎが３である場合、微調整の段階で用いる記録パワーの範囲は、例えば記録パワー番号４乃至８の範囲に決定される。なお、勿論、所定の基準値を１００％以外の値、例えば９０％などに設定するようにしてもよい。
【００６３】
ステップＳ１２において、ＣＰＵ３５は、第２の記録パワー範囲における記録時の記録パワー番号Ｎの初期設定を行う。
【００６４】
ステップＳ１３において、ＣＰＵ３５は、バス３４を介して光ピックアップ５のレーザ駆動回路１７などを制御し、第２の記録パワー範囲内における所定の記録パワー番号Ｎに対応する記録パワーで光ディスク４０に記録動作を行う。これにより、光ディスク４０に所定のテストデータが所定の記録パワー番号Ｎで記録される。
【００６５】
ステップＳ１４において、ＣＰＵ３５は、第２の記録パワー範囲のうちの、予め設定された所定の段階（ｋ段階）のすべての記録パワー番号Ｎで記録動作が行われたか否かを判定する。ステップＳ１４において第２の記録パワー範囲のうちの、予め設定された所定の段階（ｋ段階）のすべての記録パワー番号Ｎで記録動作が行われていないと判定された場合、ＣＰＵ３５はステップＳ１５で、記録パワー番号Ｎを１つだけインクリメントする。すなわち、例えば初期設定された記録パワー番号Ｎ＝１から１つだけインクリメントされると、記録パワー番号Ｎ＝２に設定される。
【００６６】
その後、処理はステップＳ１３に進み、ステップＳ１３以降の処理が繰り返される。これにより、ステップＳ１２乃至Ｓ１５の処理が繰り返し実行されることで、第２の記録パワー範囲のうち記録パワー番号Ｎがｋ段階目になるまで繰り返し同様の記録動作が実行され、記録パワー番号Ｎが１乃至ｋに対応する第２の記録パワー範囲内の各記録パワーで記録動作が実行される。
【００６７】
ステップＳ１６において、ＣＰＵ３５は、第２の記録パワー範囲において記録された記録領域の再生時における初期設定を行う。すなわち、ＣＰＵ３５は、第２の記録パワー範囲において記録された記録領域の再生動作を行い、各記録領域でのジッタの測定を行うための記録パワー番号Ｎの初期設定を行う。
【００６８】
ステップＳ１７において、ＣＰＵ３５は、第２の記録パワー範囲において所定の段階（ｋ段階）で変化させて各記録パワー番号Ｎに対応する各記録パワーで記録された各記録領域の再生動作を所定の段階（ｋ段階）で行い、ジッタ測定回路３３は、Ａ／Ｄ変換器３０から供給される再生信号とＰＬＬ回路２９で生成される再生クロック信号から再生信号のジッタを測定する。
【００６９】
ＣＰＵ３５は、第２の記録パワー範囲における各記録パワー番号Ｎに対応する各記録領域を再生した際に得られるジッタをバス３４を介してジッタ測定回路３３から読み出し、読み出されたジッタをＲＡＭ３７に記憶させる。
【００７０】
ステップＳ１８において、ＣＰＵ３５は、第２の記録パワー範囲のうち、すべての記録パワー番号Ｎに対応する記録パワーで記録された記録領域で、ジッタを測定したか否かを判定する。
【００７１】
ステップＳ１８において第２の記録パワー範囲のうち、すべての記録パワー番号Ｎに対応する記録パワーで記録された記録領域で、ジッタを測定していないと判定された場合、ＣＰＵ３５はステップＳ１９で、記録パワー番号Ｎを１つだけインクリメントする。すなわち、例えば、初期設定された記録パワー番号Ｎ＝１から１つだけインクリメントされると、記録パワー番号Ｎ＝２に対応する記録パワーで記録された記録領域が再生されるように設定される。
【００７２】
その後、処理はステップＳ１７に進み、ステップＳ１７以降の処理が繰り返される。これにより、ステップＳ１６乃至Ｓ１９の処理が繰り返し実行されることで、予め設定された所定の段階（ｋ段階）の記録パワーで記録された各記録領域の再生動作が実行される。
【００７３】
ステップＳ１８において第２の記録パワー範囲のうち、すべての記録パワー番号Ｎに対応する記録パワーで記録された記録領域で、ジッタを測定したと判定された場合、ＣＰＵ３５はステップＳ２０で、ＲＡＭ３７に記憶されている第２の記録パワー範囲内の各記録パワー番号ごとの各ジッタを読み出し、読み出された各ジッタを比較し、ジッタが最小となる記録パワー番号Ｎに対応する記録パワーを、光ディスク４０に最適な最終記録パワーに決定する。
【００７４】
本発明の実施形態においては、粗調整の段階において、第１の記録パワー範囲において所定の段階の記録パワーで記録された記録領域を再生し、再生時におけるＰＬＬ回路２９のロック状態を検出し、検出されたＰＬＬ回路２９のロック状態に基づいてＰＬＬ回路２９のロック頻度を算出するとともに、算出されたＰＬＬ回路２９のロック頻度に基づいて、ＰＬＬ回路２９のロック頻度が所定の基準値（例えば１００％など）を示す記録パワーの最大値と最小値から、微調整の段階で用いる第２の記録パワー範囲を決定し、次に、微調整の段階において、決定された第２の記録パワー範囲（すなわち、ＰＬＬ回路２９のロック頻度が所定の基準値（例えば１００％）を示し、ＰＬＬ回路２９が正しくロック可能な記録パワーの範囲である記録パワー範囲）で記録された記録領域におけるジッタを測定し、測定されたジッタに基づいて光ディスク４０に最適な記録パワーを決定する。
【００７５】
このように、粗調整の段階で再生信号に応じた再生クロック信号を生成するＰＬＬ回路２９がロック可能な第２の記録パワー範囲を決定することにより、微調整の段階で再生信号のジッタを正確に測定することができる。
【００７６】
また、第２の記録パワー範囲および最適な記録パワーを決定する際において、従来とは異なり、予め光ディスク装置１に記憶させておいた最適アシンメトリ情報を用いないようにしたことにより、光ディスク装置１のＲＯＭ３６にディスク製造コードごとの最適シンメトリ情報を記憶させる必要がなくなり、装置開発に要する時間の短縮化を図ることができ、ＲＯＭ３６を占有するディスク製造コードごとの最適シンメトリ情報に要する容量を削減することができる。
【００７７】
なお、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００７８】
【図１】本発明に係る光ディスク装置の内部の構成を示すブロック図。
【図２】従来の再生信号の非対称性（アシンメトリ）を用いて最適な記録パワーを決定する方法を説明する説明図。
【図３】従来の再生信号のジッタを用いて最適な記録パワーを決定する方法を説明する説明図。
【図４】図１の光ディスク装置におけるＯＰＣ処理を説明するフローチャート。
【図５】図４のフローチャートを用いて説明するＯＰＣ処理における最適記録パワー決定方法を説明する説明図。
【符号の説明】
【００７９】
１…光ディスク装置、２…スピンドルモータ、２ａ…ロータリエンコーダ、３…スピンドルモータ駆動回路、４…スピンドル制御回路、５…光ピックアップ、６…対物レンズ、７…トラッキングアクチュエータ、８…フォーカスアクチュエータ、９…レーザダイオード、１０…フロントモニタ・フォトダイオード、１１…ハーフミラー、１２…コリメータレンズ、１３…ハーフプリズム、１４…集光レンズ、１５…シリンドリカルレンズ、１６…光検出器、１７…レーザ駆動回路、１８…ギア、１９…スクリューシャフト、２０…送りモータ、２１…送りモータ駆動回路、２２…送りモータ制御回路、２３…ＲＦアンプ、２４…フォーカスアクチュエータ駆動回路、２５…フォーカスアクチュエータ制御回路、２６…トラッキングアクチュエータ駆動回路、２７…トラッキング制御回路、２８…水晶、２９…ＰＬＬ回路、３０…Ａ／Ｄ変換器、３１…データ再生回路、３２…エラー訂正回路、３３…ジッタ測定回路、３４…バス、３５…ＣＰＵ、３６…ＲＯＭ、３７…ＲＡＭ、３８…ＤＳＰ、３９…インタフェース回路、４０…光ディスク、４１…ホスト装置。
【図１】
2008084506.tif 000003
【図２】
2008084506.tif 000004
【図３】
2008084506.tif 000005
【図４】
2008084506.tif 000006
【図５】
2008084506.tif 000007